(57)【要約】【課題】  記録用紙の紙詰りを除去する際に、より効率的に安全に除去することができるジャム処理機構を備えた用紙搬送装置及びこれを用いた画像形成装置を簡易な構成で低コストに提供する。【解決手段】  給紙部６と、該給紙部６と対向して配設され、開閉自在に形成されたカバー部材１０Ｒ，１０Ｌと、給紙部６とカバー部材１０Ｒ，１０Ｌとの間で形成される用紙搬送路と１２，１４とを備え、用紙搬送路１２，１４には、給紙部６のカバー部材１０Ｒ，１０Ｌとの対向面に設けられ、用紙搬送路１２，１４の一部を形成して記録用紙の搬送をガイドすると共に、用紙搬送路側に開閉自在に形成されたシュート部材６０が配設されており、このシュート部材６０は、カバー部材１０Ｒ，１０Ｌの開放動作に伴って、自重により所定の回転角度θまで開放されると共に、該所定の回転角度θにて弾性部材Ｓ１，Ｓ２により保持されることを特徴とする。【選択図】          図３
2007055789.tif 000002
【特許請求の範囲】
【請求項１】
記録用紙を収容する用紙トレイと、該用紙トレイに収容された記録用紙を給紙する給紙手段とを有する給紙部と、
該給紙部と対向して配設され、開閉自在に形成されたカバー部材と、
前記給紙部とカバー部材との間で形成される用紙搬送路と
を備え、
前記用紙搬送路には、前記給紙部の前記カバー部材との対向面に設けられ、該用紙搬送路の一部を形成して記録用紙の搬送をガイドすると共に、前記用紙搬送路側に開閉自在に形成されたシュート部材が配設されており、このシュート部材は、前記カバー部材の開放動作に伴って、自重により所定の回転角度まで開放されると共に、該所定の回転角度にて弾性部材により保持されることを特徴とする用紙搬送装置。
【請求項２】
前記シュート部材は、閉状態において、開放方向に回転モーメントが生じるように、その重心位置が形成されていることを特徴とする請求項１に記載の用紙搬送装置。
【請求項３】
前記所定の回転角度は、前記シュート部材の重心位置がその回転軸よりも上方に位置するように設定されていることを特徴とする請求項１に記載の用紙搬送装置。
【請求項４】
前記弾性部材は、トーションスプリングであることを特徴とする請求項１に記載の用紙搬送装置。
【請求項５】
前記弾性部材は、板バネであることを特徴とする請求項１に記載の用紙搬送装置。
【請求項６】
請求項１ないし５のいずれかに記載の用紙搬送装置と、
所定の画像情報に基づいて前記記録用紙に画像形成を行う画像形成手段と
を備えることを特徴とする画像形成装置。
【発明の詳細な説明】
【技術分野】
【０００１】
本発明は、画像形成装置に用いられる記録用紙の搬送装置に関し、特に、紙詰りを除去するためのジャム除去用シュート部材を有する用紙搬送装置及びこれを用いた画像形成装置に関するものである。
【背景技術】
【０００２】
【特許文献１】特開平１０−２５０８７２号公報
【特許文献２】特許第３５４６０２４号公報
【特許文献３】特開平１１−３４３０４６号公報
【０００３】
従来、画像形成装置の画像形成部に記録用紙を搬送する用紙搬送装置においては、用紙詰りが生じた場合に、当該用紙を除去するためのジャム処理機構が設けられており、このようなジャム処理を容易に行うための用紙搬送装置が種々提案されている（例えば、特許文献１〜３参照）。
【０００４】
ここで、特許文献１には、駆動ローラとノブとを同軸に形成し、部品点数の削減等を図った用紙搬送装置が開示されている。
【０００５】
また、特許文献２には、用紙搬送路を形成する開閉自在のシュート部材と、このシュート部材と独立又は連動して開閉するカバー部材とを有し、当該シュート部材を、常に閉位置側に付勢することにより、カバー部材を閉じる際のシュート部材の損傷を防止した用紙搬送装置が開示されている。
【０００６】
さらに、特許文献３には、カバー部材の開放動作に伴って、用紙搬送路を形成するシュート部材が、その自重により開放されるように構成した用紙搬送装置が開示されている。
【発明の開示】
【発明が解決しようとする課題】
【０００７】
しかしながら、上述の先行文献に開示された用紙搬送装置においては、いずれも以下のような問題を有していた。
【０００８】
例えば、特許文献１に開示された用紙搬送装置では、用紙搬送路を形成するシュート部材の開放角度を大きくすると、カバー部材の開閉動作の際に、当該カバー部材がシュート部材と接触し、シュート部材がカバー部材によりこじられることによる損傷等が生じるため、シュート部材の開放角度を大きくすることができず、紙詰り等のジャム処理の際の作業性が悪いという問題を生じていた。
【０００９】
また、特許文献２に開示された用紙搬送装置では、シュート部材が常に閉状態となるように閉位置側に付勢されているので、ジャム処理の際にシュート部材を開放する際の操作性が悪いという問題を生じていた。さらに、カバー部材とシュート部材とを連動させる場合には構成が複雑となり、装置の大型化及びコストアップが生じるという問題を生じていた。
【００１０】
さらに、特許文献３に開示された用紙搬送装置においても、同様にシュート部材の開放角度を大きくすることができず、ジャム処理の際の作業性が悪いという問題を生じていた。また、記録用紙が、シュート部材の下流側の当該シュート部材の上方に配置された搬送ロールに記録用紙がニップされた状態で紙詰りが発生すると、作業者は当該記録用紙を下向きに引き抜こうとするため、開放されたシュート部材の先端に作業者の手が触れて、過度な力がシュート部材に加わり、当該シュート部材が損傷等のダメージを被り易いという問題も生じていた。
【００１１】
そこで、本発明は、上述のような従来技術の問題点に鑑みてなされたものであり、記録用紙の紙詰りを除去する際に、より効率的に安全に除去することができるジャム処理機構を備えた用紙搬送装置及びこれを用いた画像形成装置を簡易な構成で低コストに提供することを目的とする。
【課題を解決するための手段】
【００１２】
上記目的を達成するために、本発明の用紙搬送装置は、記録用紙を収容する用紙トレイと、該用紙トレイに収容された記録用紙を給紙する給紙手段とを有する給紙部と、該給紙部と対向して配設され、開閉自在に形成されたカバー部材と、前記給紙部とカバー部材との間で形成される用紙搬送路とを備え、前記用紙搬送路には、前記給紙部の前記カバー部材との対向面に設けられ、該用紙搬送路の一部を形成して記録用紙の搬送をガイドすると共に、前記用紙搬送路側に開閉自在に形成されたシュート部材が配設されており、このシュート部材は、前記カバー部材の開放動作に伴って、自重により所定の回転角度まで開放されると共に、該所定の回転角度にて弾性部材により保持されることを特徴とするものである。
【００１３】
このように構成した本発明の用紙搬送装置は、カバー部材を開放した際に、所定の回転角度までは、シュート部材が自重により回転するので、ジャム処理の際に、シュート部材を閉状態から開放する操作が不要となり、操作性の向上を図ることができる。また、所定の角度よりも、より大きくシュート部材を開放させたい場合には、弾性部材により保持されたシュート部材をさらに押圧することにより、任意の開放角度までシュート部材をより大きく開放させることができ、ジャム処理の際の作業性をより一層向上させることができる。これにより、用紙詰りの際のジャム処理作業をより効率的に安全に行うことができる用紙搬送装置を簡易な構成で低コストに提供することができる。
【００１４】
ここで、前記シュート部材は、閉状態において、開放方向に回転モーメントが生じるように、その重心位置が形成されていてもよい。
【００１５】
このように構成した場合には、シュート部材が、閉状態において、開放方向に回転モーメントが生じるように、その重心位置が形成されているので、カバー部材の開放動作に伴って、自重により回転移動するシュート部材を簡易に実現することができる。
【００１６】
また、前記所定の回転角度は、前記シュート部材の重心位置がその回転軸よりも上方に位置するように設定されていてもよい。
【００１７】
このように構成した場合には、所定の回転角度が、シュート部材の重心位置がその回転軸よりも上方に位置するように設定されているので、カバー部材の開放動作の際に、シュート部材が、その重心位置よりも下方まで自重により回転することがない。これにより、カバー部材を閉じる際に、シュート部材をこじることがなく、シュート部材に過度な力が加わって、破損等のダメージを与えることを未然に防止することができる。
【００１８】
さらに、前記弾性部材は、トーションスプリングであってもよいし、板バネであってもよい。
【００１９】
このように構成した場合には、シュート部材を保持する弾性部材を簡易、低コストに実現することができる。
【００２０】
なお、本発明は、上記用紙搬送装置と、所定の画像情報に基づいて前記記録用紙に画像形成を行う画像形成手段とを備える画像形成装置をも対象とするものである。
【発明の効果】
【００２１】
本発明によれば、記録用紙の紙詰りを除去する際に、より効率的に安全に除去することができるジャム処理機構を備えた用紙搬送装置及びこれを用いた画像形成装置を簡易な構成で低コストに実現することができる。
【発明を実施するための最良の形態】
【００２２】
以下に、本発明に係る実施の形態を図面を参照して説明する。
【００２３】
まず、本発明の一実施の形態に係る画像形成装置の概略構成について、図１を参照して説明する。ここで、図１は、本発明に係る画像形成装置の概略構成を示す模式図である。
【００２４】
図１に示されるように、本発明に係る画像形成装置１は、給紙部である給紙ユニット６と、この給紙ユニット６の上に配設された画像形成手段である画像形成ユニット７とを備えている。
【００２５】
給紙ユニット６は、多数の段に配置された用紙トレイ２，３，４及び５を有し、各トレイ２〜５は、異なるサイズの用紙を、図中、手前側から容易に装填できる、いわゆるフロント・ローディングの構成となっている。また、最下部のトレイ５は、他のトレイに比べて大量の用紙が収容できるように大きく形成され、大量の用紙が入ってもその重量に耐えるように、キャスタ８が、給紙ユニット６全体のキャスタ９とは別に設けられている。さらに、トレイ４は、１度画像形成装置本体に給送されて片面が複写された記録用紙を再度戻して、用紙の反対側の面に画像を形成したり、同じ面に他の画像を形成したりするのに使用される中間トレイとして構成されている。
【００２６】
また、給紙ユニット６の側面には、その側壁を構成する右側カバー部材１０Ｒ及び左側カバー部材１０Ｌが、それぞれ図中奥側の垂直方向に延在する不図示の回転軸を中心に水平方向に開閉自在に配設されている。
【００２７】
本実施の形態において、右側カバー部材１０Ｒ及び左側カバー部材１０Ｌの上部は画像形成ユニット７の下部側面にまで延びており、給紙ユニット６の各用紙トレイ２〜５から画像形成ユニット７へ延びる用紙搬送路給全体を覆うよう構成されている。すなわち、右側カバー部材１０Ｒと給紙ユニット６の右側面１１Ｒとの間には、選択されたトレイから取り出された記録用紙を画像形成ユニット７本体に送る用紙搬送路１２が形成されていると共に、左側カバー部材１０Ｌと給紙ユニット６の左側面１１Ｌとの間には、その片面に画像形成された記録用紙を画像形成ユニット７から再度戻すための戻し搬送路１４が形成されている。これらのカバー部材１０Ｒ及び１０Ｌは、図中、奥側で枢支されて、カバー部材１０Ｒ，１０Ｌのそれぞれ手前側を開放するように取付けられており、紙詰まりの除去が容易にできるようになっている。なお、カバー部材１０Ｒ，１０Ｌは画像形成ユニット７の下部まで延在していなくともよく、給紙ユニット６だけを覆うように構成してもよい。そして、本発明に係る用紙搬送装置５０は、これらの用紙トレイ２〜５、用紙搬送路１２，１４、カバー部材１０Ｒ，１０Ｌ等で構成されている。
【００２８】
画像形成ユニット７は、その内部に、プラテン１６上に載置された原稿の画像情報に基づいて静電潜像を形成する光学装置１７、感光体ドラム１８、現像装置１９、クリーニング装置２０等が配置されており、例えば、プラテン１６上に載置された原稿の画像情報に基づいて光学装置１７からの照射光により感光体ドラム１８に静電潜像が形成され、現像装置１９からのトナーによって静電潜像が現像されてトナー像化されるようになっている。また、本実施の形態において、画像形成ユニット７には、通常の用紙トレイ２７が設けられており、さらに、葉書等の特殊用紙等を手差しできるように、ユニット右側面に手差しトレイ２８が配設されている。
【００２９】
次に、このように構成した画像形成装置１の画像形成プロセス及び用紙搬送路の概要について説明する。
【００３０】
本実施の形態に係る画像形成装置１では、画像形成ユニット７のプラテン１６上に載置された原稿の画像情報や、例えば、外部接続されたＰＣ（パーソナルコンピュータ）からの画像情報の出力要求に基づき画像形成プロセスが開始される。このような画像出力要求に基づいて、感光体ドラム１８は、帯電部にて所定の電位に帯電された後、光学装置１７からの、例えばレーザ光により所定の画像情報に基づく露光が行われ、感光体ドラム１８上に静電潜像が形成される。そして、この感光体ドラム１８上の静電潜像は、現像装置１９によりトナー像化され、この可視像化されたトナー画像は、感光体ドラム１８と対向して配設された転写部２１において、用紙トレイ２〜５，２７から用紙搬送路１２を経て、整合装置２６によって感光体ドラム１８上の画像が適正な位置に転写されるように調整されて送られてきた記録用紙に転写される。その後、転写された記録用紙は、定着装置２４に送られて加熱加圧処理が施されて、トナー画像が記録用紙に定着される。画像定着後の記録用紙は、排出トレイ２５に排出されるか、若しくは、戻し搬送路１４に搬送され両面印刷等の処理が行われる。なお、感光体ドラム１８上に残留したトナーは次の画像形成のためクリーニング装置２０によって清掃される。
【００３１】
一方、記録用紙は、不図示の操作パネルから選択された用紙トレイから用紙搬送路１２を経由して、整合装置２６によって搬送方向、タイミング等が調整されて転写部２１に搬送される。なお、手差しトレイ２８が選択された場合には、他の用紙トレイからの用紙給送がロックされる。
【００３２】
給紙ユニット６の用紙トレイ２〜５からの記録用紙の搬送は、用紙搬送路１２を通って行われ、この用紙搬送路１２には、その間に記録用紙を挟んで搬送する対になった複数の搬送ローラと、用紙搬送路の一部を形成して記録用紙の搬送をガイドすると共に、該用紙搬送路１２に記録用紙が詰まった場合のジャム処理用として開閉自在に形成されたシュート部材が配設されている。なお、これらの搬送ローラ及びシュート部材の詳細については後述する。
【００３３】
また、これらの搬送ローラ及びシュート部材は、戻し搬送路１４にも同様に設けてあり、定着装置２４を出た片面に画像形成された記録用紙は、両面印刷等の場合に、切り替え部材３０によってその搬送方向が切り替えられ戻し搬送路１４に搬送される。そして、戻し搬送路１４には、両面印刷用に中間トレイ４に転写部２１の状態に対して用紙を裏返した状態に収容するか、重畳印刷用に用紙を同じ向きに収容するかを選択するための、用紙逆送用の切り替え部材３１がさらに設けられている。
【００３４】
次に、上述した用紙搬送路１２及び／又は戻し搬送路１４を含む本発明に係る用紙搬送装置５０について、図２を参照してさらに説明する。なお、本発明に係る用紙搬送装置は、上述した用紙搬送路１２，１４のいずれにおいても適用可能であるので、以下、簡単のため、用紙搬送路１２側に用いられる用紙搬送装置について説明する。図２は、右側カバー部材１０Ｒが閉じられた状態における本発明に係る用紙搬送装置５０の概略構成を示す模式的断面図である。
【００３５】
図２に示されるように、本発明に係る用紙搬送装置５０は、用紙トレイ２〜５と、これらの用紙トレイの送り出し側に設けられ、記録用紙を引き出す給紙手段を構成するフィードローラ５１、給紙ローラ５３及びリタードローラ５５と、給紙手段により給紙された記録用紙を略垂直方向に搬送ガイドする下向き凸形状に湾曲したガイド板５７と、このガイド板５７と対向するガイド面６０ａ及び用紙搬送路１２の一側面を形成する搬送路面６０ｂを有し、回転軸６０ｓを中心に用紙搬送路１２側に開閉自在に形成されたシュート部材６０と、ガイド板５７及びシュート部材６０により導かれた記録用紙を上方に搬送するための垂直方向に形成された用紙搬送路１２と、用紙搬送路１２の他側面を形成する搬送路面１０ａを有し、水平方向に開閉自在に形成されたカバー部材１０Ｒと、ガイド板５７の下流側搬送路１２に互いに対向して設けられた搬送ローラ５８，５９等を備えている。
【００３６】
ここで、ガイド板５７については、用紙トレイから排出された記録用紙の搬送方向を水平方向から垂直方向に滑らかに変換できるように一定の曲率で湾曲していることが好ましい。
【００３７】
また、搬送ローラ５９については、カバー部材１０Ｒと一体に移動可能なように形成されており、これにより、カバー部材１０Ｒを開放した際の紙詰まりの除去がより一層容易となるように構成されている。さらに、カバー部材１０Ｒ側の搬送ローラ５９をバネ等で給紙ユニット６側の搬送ローラ５８に向けて付勢し、記録用紙を搬送する際の圧接力を確保するように構成してもよい。
【００３８】
このように構成した用紙搬送装置５０において、例えば、用紙トレイ３に収容された記録用紙は、所定のタイミングでフィードローラ５１により、最上部の記録用紙が１枚ずつ送り出される。送り出された記録用紙は、対になった給紙ローラ５３及びリタードローラ５５に把持されて、用紙搬送路１２に向けられる。ここで、リタードローラ５５は、記録用紙の２枚以上の重送を阻止する役割を果たすものである。ローラ対５３，５５によって１枚ずつ給送された記録用紙は、ガイド板５７及びシュート部材６０によって形成されるガイド部によって水平な姿勢から垂直な姿勢に変換させられる。
【００３９】
ガイド板５７を出た記録用紙は、搬送ローラ対５８，５９によって把持され、そのまま、垂直な用紙搬送路１２中を搬送される。なお、本実施の形態では、搬送ローラ３８はモータ等の駆動手段によって駆動され、対向するカバー部材１０Ｒ側の搬送ローラ３９は記録用紙をローラ間に圧接するピンチローラとして作用する。
【００４０】
ところで、本実施の形態における用紙搬送装置５０においては、水平方向に配設された用紙トレイから、ガイド板５７及び開閉自在に形成されたシュート部材６０により形成されるガイド部にて、記録用紙の搬送方向を水平方向から垂直方向へ変換し、上下方向（垂直方向）に延在する用紙搬送路１２に導くようになっている。
【００４１】
そして、このような用紙搬送装置５０において、例えば、ガイド部にて紙詰まり等が生じた場合には、シュート部材６０の開放角度をなるべく大きくした方が、ジャム処理作業をより容易に効率的に行うことができる。
【００４２】
一方、シュート部材６０の開放角度をあまり大きくしすぎると、カバー部材１０Ｒを閉じた際に、開放位置にあるシュート部材６０の先端とカバー部材１０Ｒとが接触し、当該シュート部材６０にダメージを与え、破損させる虞が生じる。
【００４３】
さらに、シュート部材が、一定の開放位置で固定するように規制されていると、例えば、画像形成ユニット７内に固設された搬送ローラ対に記録用紙が挟まり、一端が用紙搬送路１２内に残って紙詰まりが生じたような場合には、当該記録用紙を下向きに引き抜く際に、開放位置で固定されたシュート部材６０が邪魔となりジャム処理の際の作業性を損ね、また、下向きに引き抜く際にシュート部材６０と接触し、当該シュート部材６０に過度な力が加わり破損させてしまうといった虞が生じる。
【００４４】
そこで、本発明に係る用紙搬送装置５０においては、カバー部材１０Ｒの開放動作に伴って、シュート部材６０が、所定の回転角度（位置）までは、その自重により開放（回転移動）されると共に、当該位置にて弾性部材により保持されるように構成している。
【００４５】
このような本発明に係るシュート部材の一実施例について、図３を参照してさらに説明する。
【００４６】
図３に示されるように、本実施例におけるシュート部材６０は、その先端部６０ｔが、ガイド板５７の湾曲形状に倣うような湾曲面６０ｃを有しており、基端部６０ｂに設けられた水平方向に延在する回転軸６０ｓを中心に垂直方向に回転自在に形成されている。そして、この基端部６０ｂの回転軸６０ｓの軸方向端部には、弾性部材としてのコイル状のトーションスプリングＳ１が巻回されていると共に、先端部６０ｔには、重りの役割を果たすローラ６０ｗが配設されており、さらにシュート部材６０の回転軸６０ｓの下方には、トーションスプリングＳ１のストッパーの役割を果たす支持部材６１が配設されている。
【００４７】
シュート部材６０は、閉状態（シュート部材６０の中心線Ｌ２が鉛直線Ｌ１と重なるようにシュート部材６０が移動した状態）においては、トーションスプリングＳ１と支持部材６１とが非接触の状態で、湾曲面６０ｃがガイド板５７の湾曲面に当接し、その側面６０ｂが用紙搬送路１２の一部を形成すると共に、先端部６０ｔに設けられたローラ６０ｗにより、常に、開方向に回転モーメントが働くように、その重心位置６０ｇが形成されている。すなわち、シュート部材６０と対向しているカバー部材１０Ｒが開放された際には、所定の回転角度θまで、シュート部材６０の自重により回転軸６０ｓ回りに回転（本例では、時計回り方向）し、所定の回転角度θにて、トーションスプリングＳ１が支持部材６１と当接して、このトーションスプリングＳ１により、シュート部材６０を保持するように構成されている。
【００４８】
ここで、トーションスプリングＳ１が、支持部材６１と接触する所定の回転角度θは、その重心位置６０ｇが、回転軸６０ｓよりも上方となるような位置であることが好ましい（本実施例では、中心線Ｌ２と鉛直線Ｌ１との成す角度が略４５°であり、この角度は９０°以内であることが好ましい）。
【００４９】
このように構成した本発明に係るシュート部材６０においては、カバー部材１０Ｒを開放した際に、所定の回転角度θまでは、シュート部材６０が、自重により回転するので、ジャム処理の際に、シュート部材を閉状態から開放する操作が不要となり、操作性の向上を図ることができる。
【００５０】
また、所定の角度θよりも、より大きくシュート部材６０を開放（回転）させたい場合には、弾性部材Ｓ１により保持されたシュート部材６０の先端部６０ｔをさらに押圧する（押し下げる）ことにより、任意の開放角度までシュート部材６０をより大きく開放させることができ、ジャム処理の際の作業性をより一層向上させることができると共に、ジャム処理後には、シュート部材６０を所定の回転角度θの位置まで、トーションスプリングＳ１の弾性力により自動的に復元させることができる。
【００５１】
そして、この弾性力により復元される所定の回転角度θは、シュート部材６０の重心位置６０ｇが、回転軸６０ｓの上方に位置するような角度で設定されているので、シュート部材６０が重心位置６０ｇの下方まで回転する構成に比し、カバー部材１０Ｒを閉じる際に、シュート部材６０をこじることがなく、シュート部材６０へのダメージ等による損傷を未然に防止することができる。
【００５２】
以上により、簡易な構成で一連のジャム処理作業をより効率的に安全に行うことが可能となる。
【００５３】
次に、本発明に係るシュート部材の別の実施例について、図４を参照して説明する。
【００５４】
本実施例は、先の実施例における弾性部材であるトーションスプリングＳ１を、板バネＳ２に変更したものであり、簡単のため、同様な機能を有する部材には、同様な符号を付し、その説明は省略する。
【００５５】
図４に示されるように、本実施例におけるシュート部材６０Ａは、所定の回転角度θにて、シュート部材６０Ａの下端部６０ｄの接触部６０ｅが、立設された板バネＳ２の先端と接触するように構成したものであり、板バネＳ２は、その下部が固定されて、シュート部材６０の接触部６０ｅとの接触により、シュート部材６０と共に、開放方向に撓んで弾性変形するように形成されている。
【００５６】
このように構成したシュート部材６０Ａにおいては、先の実施例と同様に、閉状態においては、湾曲面６０ｃがガイド板５７の湾曲面と当接し、シュート部材６０Ａの側面６０ｂが用紙搬送路１２の一部を形成すると共に、カバー部材１０Ｒの開放動作に伴って、シュート部材６０Ａは、所定の回転角度θまで自重により回転するようになっている。そして、所定の回転角度θにて、下端部６０ｄの接触部６０ｅが、板バネＳ２の先端部と接触することにより、先の実施例と同様な効果を得ることができる。
【００５７】
以上、本発明のシュート部材の実施例について説明してきたが、本発明はこのような実施例に限定されるものではなく、所定の回転角度まで、自重により開放され、当該角度にて弾性部材により保持されるように構成したシュート部材を備える用紙搬送装置及び画像形成装置は、本発明の技術的範囲に包含されるものである。
【図面の簡単な説明】
【００５８】
【図１】本発明に係る画像形成装置の一実施の形態を示す概略構成図である。
【図２】本発明に係る用紙搬送装置の概略構成を示す模式的断面図である。
【図３】本発明に係るシュート部材の構成を示す模式的に示す図である。
【図４】本発明に係るシュート部材の別の実施例の構成を示す模式的に示す図である。
【符号の説明】
【００５９】
１：画像形成装置、２〜５：用紙トレイ、６：給紙ユニット、７：画像形成ユニット、１０Ｒ，１０Ｌ：カバー部材、１２，１４：用紙搬送路、１７：光学装置、１８：感光体ドラム、１９：現像装置、２０：クリーニング装置、２１：転写部、２４：定着装置、２６：整合装置、５０：用紙搬送装置、５１：フィードローラ、５３：給紙ローラ、５５：リタードローラ、５７：ガイド板、５８，５９：搬送ローラ、６０，６０Ａ：シュート部材、６０ｃ：湾曲面、６０ｇ：重心位置、６０ｓ：回転軸、６１：支持部材、Ｌ１：鉛直線、Ｌ２：中心線、Ｓ１：トーションスプリング、Ｓ２：板バネ、θ：回転角度
【図１】
2007055789.tif 000003
【図２】
2007055789.tif 000004
【図３】
2007055789.tif 000005
【図４】
2007055789.tif 000006